(57)【特許請求の範囲】
【請求項１】
天井に所定の間隔を置いて離間配置される照明装置本体と；
前記照明装置本体に配設され、ＥＬ（エレクトロルミネセンス）発光層、前記ＥＬ発光層に所要の電圧を印加する一対の電極および前記ＥＬ発光層からの光を出射しこの前記ＥＬ発光層に対向する主発光面およびこの主発光面の側方に設けられた発光側面を有するＥＬモジュールと；
前記ＥＬモジュールの一対の電極に所要の電圧を印加して前記ＥＬ発光層を発光させる点灯回路と；
前記照明装置本体の外端部よりも外側方向に突出する突出部を備え、前記照明装置本体が前記天井に配設された状態で、前記ＥＬモジュールの発光側面から前記照明装置本体の側面側へ出射される光を、前記突出部を介して前記天井側へ照射させる導光体と；
を具備していることを特徴とする照明装置。
【請求項２】
前記照明装置本体は、前記天井に引掛けシーリングにより所定の間隔を置いて離間配置され、
前記引掛けシーリングは、前記天井に配設されて電源線に接続される給電側引掛け接点を有する給電部と、前記照明装置本体の前記ＥＬモジュールの反対側に配設されて前記給電側引掛け接点に引っ掛けられて着脱可能に接続される一方、前記点灯回路に接続される受電側接点を有する受電部と、
を具備していることを特徴とする請求項１記載の照明装置。
【発明の詳細な説明】
【技術分野】
【０００１】
本発明の実施形態はＥＬ（エレクトロルミネセンス）モジュールを具備した照明装置に関する。
【背景技術】
【０００２】
従来から白色発光有機ＥＬ等のＥＬモジュールは面光源として知られている。このために、この種の白色発光ＥＬモジュールの複数個を用いて大形の白色発光平面光源を形成した照明装置も従来から知られている（例えば特許文献１参照）。
【０００３】
しかし、この種のＥＬモジュールでは、その構造上、ＥＬ発光層からの光は、このＥＬ発光層の光出射面に対向する透光性基板の主発光面から外部へ主に出射されるが、その一部は、基板の側面からも出射される。すなわち、基板と空気との屈折率がスネルの法則により制限されるために、基板の主発光面に対して垂直方向にある側面からも横方向（水平方向）へ出射される。しかし、この横方向への光により、その垂直方向上方を照明することはできない。
【０００４】
このために、この種のＥＬモジュールを光源として組み付けた照明装置では、引掛けシーリング等により天井に所要の間隔を置いて離間配置される場合には、照明装置から天井側を照明することができず、天井側が暗くなるという課題がある。
【先行技術文献】
【特許文献】
【０００５】
【特許文献１】特開２００９−１５８１８８号公報
【発明の概要】
【発明が解決しようとする課題】
【０００６】
本発明は、このような事情を考慮してなされたもので、天井に配設されたときに、天井側にも、照明できる照明装置を提供することを目的とする。
【課題を解決するための手段】
【０００７】
本発明の実施形態によれば、天井に所定の間隔を置いて離間配置される照明装置本体と；前記照明装置本体に配設され、ＥＬ（エレクトロルミネセンス）発光層、前記ＥＬ発光層に所要の電圧を印加する一対の電極および前記ＥＬ発光層からの光を出射しこの前記ＥＬ発光層に対向する主発光面およびこの主発光面の側方に設けられた発光側面を有するＥＬモジュールと；前記ＥＬモジュールの一対の電極に所要の電圧を印加して前記ＥＬ発光層を発光させる点灯回路とを具備している。
【０００８】
また、本発明の実施形態によれば、前記照明装置本体の外端部よりも外側方向に突出する突出部を備え、前記照明装置本体が前記天井に配設された状態で、前記ＥＬモジュールの発光側面から前記照明装置本体の側面側へ出射される光を、前記突出部を介して前記天井側へ照射させる導光体とを具備している。
【発明の効果】
【０００９】
本発明の実施形態によれば、ＥＬモジュールからの光が導光体の突出部により天井側へ照射されるので、天井側の明るさを向上できる。
【図面の簡単な説明】
【００１０】
【図１】本発明の一実施形態に係る照明装置が天井に配設されたときの一部切欠正面図。
【図２】図１で示す照明装置を天井側から見たときの平面図。
【図３】図１，図２で示す導光部の端部の正面形状を示し、（Ａ）は円弧状端部、（Ｂ）は楔状端部、（Ｃ）は半円状端部をそれぞれ示す正面図。
【図４】図１，図２で示すＥＬモジュールの縦断面図。
【発明を実施するための形態】
【００１１】
以下、本発明の実施形態を図面を参照して説明する。なお、複数の図面中、同一または相当部分には同一符号を付して説明する。
【００１２】
図１は本発明の一実施形態に係る照明装置の一部切欠正面図、図２は同平面図である。この照明装置１は、その筐体である照明装置本体２に、複数のＥＬモジュール３，３，…、点灯回路４、制光手段の一例である導光部５および引掛けシーリング６を配設している。
【００１３】
図４に示すように白色発光等の各ＥＬモジュール３は、白色発光等のＥＬ発光部７を有する。ＥＬ発光部７は、白色発光の有機や無機の発光材料等を有するＥＬ（エレクトロルミネセンス）層８を具備し、このＥＬ層８を、不透明の金属等からなる陰電極（カソード）９と、ＩＴＯ（Ｉｎｄｉｕｍ  Ｔｉｎ  Ｏｘｉｄｅ：酸化インジウム錫）等の透明な金属薄膜等よりなる陽電極（アノード）１０とにより挟持するヘテロ構造に形成されている。陰，陽電極９，１０はそれぞれ導線９ａ，１０ａを接続しており、これら導線９ａ，１０ａは図１で示す点灯回路４のＤＣ（直流）出力端子にそれぞれ接続され、点灯回路４からＥＬ層８を発光させるために必要な所要の直流電圧が印加されて、発光（点灯）される。また、陰電極９と陽電極１０との間には電気絶縁体１１を介装している。
【００１４】
なお、陰電極９とＥＬ層８との間には陰電極９から供給される電子をＥＬ層８に輸送する図示省略の電子輸送層を設け、陽電極１０とＥＬ層８との間には陽電極１０から供給される正孔をＥＬ層８に輸送する正孔輸送層を設けてもよい。
【００１５】
そして、透明の陽電極１０の外面（図４では下底面側外面）には、透光性を有する、例えばガラスプレートやフレキシブルなプラスチックシート（またはフィルム）等からなる基板１２を固着し、この基板１２側を、ＥＬ層８で発光した光を外部に出射する発光領域１３に形成している。発光領域１３は、ＥＬ層８に対向する基板１２の対向面である図４中下面の主発光面１２ａと、基板１２の側面である発光側面１２ｂを有する。
【００１６】
一方、不透明の金属等からなる陰電極９の外面（図１では上面側外面）には、例えば窒化けい素等からなる封止体１４を固着して封止し、この封止体１４側を、ＥＬ層８からの発光を外部に出射させない非発光領域１５に形成している。
【００１７】
そして、図１，図２に示すように照明装置１は、照明装置本体２内に、複数のＥＬモジュール３，３，…を収容して例えば２行４列のマトリクス状に配列し、これらＥＬモジュール３，３，…の下底面である主発光面１２ａを一平面上に一致させて、平面形状が例えば横長長方形の大形の平面光源１６を形成している。各ＥＬモジュール３は、照明装置本体２内に配設された図示省略の複数のホルダによりそれぞれ個別に着脱可能に装着され、固定されている。
【００１８】
照明装置本体２は、例えば鉄製薄板等の金属板により有蓋偏平角筒状に形成され、蓋部２ａとその反対側の一端（図１では下端）２ｂを有し、この下端２ｂをほぼ全面的に開口させて開口端２ｂに形成している。
【００１９】
また、照明装置本体２は、その蓋部２ａの外面（図１では上面）の中央部に引掛けヒーシリング６を配設し、この引掛けシーリング６により天井１７に着脱可能に装着される。照明装置本体２は引掛けシーリング６により天井１７に装着されるので、照明装置本体２は天井１７に密着せずに所要の間隔を置いて装着される。引掛けシーリング６は、図１中上部の給電側の上部引掛けシーリング６ａに、図１中下部の受電側の下部引掛けシーリング６ｂが着脱可能に接続されるように構成されている。これら上部，下部引掛けシーリング６ａ，６ｂは、相互に着脱可能に接続される鈎状の引掛け接点６ａ１，６ｂ１をそれぞれ有し、図１中上部の給電側引掛け接点６ａ１は、天井１７側に固定され、天井１７の裏側に配線される商用電源線等の交流（ＡＣ）電源線１８に接続される。
【００２０】
一方、図１中下部の受電側引掛け接点６ｂ１は、図示省略の導体を介して点灯回路４のＡＣ入力側端子に接続される。点灯回路４は、入力される交流を所要電圧の直流に整流し、この直流電圧を各ＥＬモジュール３に印加して点灯させる。点灯回路４は、複数のＥＬモジュール３，３，…の輝度のばらつきを、ＥＬモジュール３の印加電圧を制御することにより低減する制御回路を設けてもよい。点灯回路４は照明装置本体２内に配設される。
【００２１】
そして、図２に示すように、照明装置１は、大形平面光源１６の外周に、そのほぼ全周を囲む平面形状が横長矩形枠状の導光部５を嵌合している。導光部５は複数のＥＬモジュール３，３，…の発光側面１２ｂから出射される光をその上方の天井１７側へ照射させる導光体であり、透光性を有するアクリル樹脂等の合成樹脂により形成され、その矩形枠の内面５ａを、各ＥＬモジュール３の発光側面１２ｂに密着させ、または近接させている。
【００２２】
また、導光部５は、その平面形状外周縁部の天井１７側の一面、すなわち、上面５ｂを、照明装置本体２の外周縁から外側方（水平方向外方）へ所定長食み出させ、所定幅の上面突出部５ｃを全周に亘って形成している。したがって、上面突出部５ｃは照明装置本体２の外周の全周を囲む矩形環状に形成されている。導光部５ｂは、その上面５ｂを、照明装置本体２の開口端２ｂに密着させ、または若干の間隙を形成した状態で、照明装置本体２に配設したホルダ（図示省略）により着脱可能に装着される。
【００２３】
図３（Ａ）にも示すように導光部５は、上面突出部５ｃを天井１７側に向けてほぼ平面、または若干上り傾斜面により形成する一方、この上面突出部５ｃの厚さ方向反対側（図１，図３（Ａ）では下面側）を円弧面５ｄにより形成し、この円弧面５ｄに入射された横からの光を上面突出部５ｃ側へ導光する。すなわち、上面突出部５ｃには、ＥＬモジュール３の発光側面１２ｂから横方向の光が入射され、この入射光が上面突出部５ｃに導光される。
【００２４】
したがって、この照明装置１によれば、複数のＥＬモジュール３，３，…の発光側面１２ｂから横方向へ出射される横方向の光は、導光部５の上面突出部５ｃへ導光され、この上面突出部５ｃから天井１７側へ照射される。この上面突出部５ｃは照明装置本体２の外周の全周に形成されているので、照明装置本体２の外周の全周から天井１７側へ光が照射される。
【００２５】
このために、天井１７側の明るさが向上する共に、この天井１７を有する部屋全体の明るさ感を向上できる。
【００２６】
なお、導光部５の縦断面形状は、図３（Ａ）で示す円弧形に限定されるものではなく、例えば図３（Ｂ）に示すように導光部５の図中上部を図中下り傾斜平面５ｃ１により切除した楔形１９に形成してもよい。また、図３（Ｃ）に示すように半円形２０に形成してもよい。さらに、導光部５を、その矩形枠の各四辺部等、複数部材に分解、組立可能に構成してもよい。なお、図３（Ｂ）中、５ｄ１は、楔形導光部１９の下り傾斜面５ｃ１の厚さ方向反対側の底面であり、この底面５ｄ１の外面を反射面に形成してもよい。また、図３（Ｃ）中、５ｃ２，５ｄ２は半円形２０上面，下面をそれぞれ示す。
【００２７】
さらに、上記実施形態では、導光部５をアクリル樹脂等の導光体により形成する場合について説明したが、本発明はこれに限定されるものではなく、導光部５は、例えばレンズやプリズム、反射体、拡散体等、ＥＬモジュール３からの横方向の光の出射方向を天井１７側へ照射するように光の方向性を制御できる制光手段であればよい。
【００２８】
また、制光手段としては、導光体やレンズ体等を別途設けずに、例えばＥＬモジュール３の基板１２自体の端部を、照明装置本体２の外周から外側方（水平方向外方）へ所要長突出させ、その突出端部の上面を天井１７側に向け、この突出端部上面から天井１７側へ光を放射させるように構成してもよい。
【００２９】
さらに、上記実施形態では、複数のＥＬモジュール３，３，…を２行４列のマトリクスに配列した場合について説明したが、本発明はこれに限定されるものではなく、その行列数には限定されない。また、大形平面光源１６の平面形状についても、正方形や多角形、その他の形状でもよく、ＥＬモジュール３の個数についても限定されず、１個以上であればよい。
【００３０】
以上、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００３１】
１…照明装置、２…照明装置本体、３…ＥＬ（エレクトロルミネセンス）モジュール、４…点灯回路、５…導光部、５ｃ…導光部の上面突出部、６…引掛けシーリング、８…ＥＬ層、９…陰電極、１０…陽電極、１２…基板、１２ａ…主発光面、１２ｂ…発光側面、１７…天井。
【図１】
0005617598.tif 000002
【図２】
0005617598.tif 000003
【図３】
0005617598.tif 000004
【図４】
0005617598.tif 000005